【手続補正書】
【提出日】平成28年4月8日(2016.4.8)
【手続補正１】
【補正対象書類名】特許請求の範囲
【補正対象項目名】全文
【補正方法】変更
【補正の内容】
【特許請求の範囲】
【請求項１】
網膜光線療法又は光刺激術を実施するシステムであって、
眼の網膜の又は窩の組織に真のサブスレッショルド光凝固を生成する一つ以上の放射ビーム（５８）の治療レーザ露光を発生するレーザコンソールであり、放射ビームの各々は、所定の波長、出力及びデューティサイクルを有する、該レーザコンソールと、
前記放射ビームを光学的に整形するために該放射ビーム（５８）が光学系（４４）を通過する光学レンズ又はマスクと、
網膜光線療法又は光刺激術を実施するための所望のサイトの少なくとも一部分に光学的に整形された放射ビーム（５８）を投射する同軸広視野非接触ディジタル光学的視認カメラと、
を備えているシステム。
【請求項２】
前記光学レンズ又はマスクを通過させるか又は前記同軸広視野非接触ディジタル光学的視認カメラから投射することを実施する前に前記放射ビームを単一出力ビーム（５２）に結合することを含み、前記通過させること及び前記投射することは、前記単一の出力ビームを用いて実施される、請求項１記載のシステム。
【請求項３】
前記一つ以上の放射ビーム（５８）の選択されたビームの波長に対して網膜光線療法又は光刺激術を実施するための所望のサイトの完全なカバレージを達成すべく構成されたオフセットパターンに従って、前記同軸広視野非接触ディジタル光学的視認システムから投射された前記単一出力ビーム（５２）をかじ取りする、請求項２記載のシステム。
【請求項４】
前記同軸広視野非接触ディジタル光学的視認カメラから投射された前記単一出力ビーム（５２）は、前記一つ以上の放射ビームの選択されなかったビームの波長に対して網膜光線療法又は光刺激術を実施するための前記所望のサイトの不完全な又はオーバラップしたカバレージを達成するよう前記オフセットパターンに従ってかじ取りされる、請求項３記載のシステム。
【請求項５】
前記同軸広視野非接触ディジタル光学的視認カメラからの前記放射ビーム（５８）の各々は、網膜光線療法又は光刺激術を実施するための前記所望のサイトの少なくとも一部分に順次投射される、請求項１に記載のシステム。
【請求項６】
前記同軸広視野非接触ディジタル光学的視認システムから投射された前記放射ビーム（５８）の各々は、前記一つ以上の放射ビームの各々の波長に対して網膜光線療法又は光刺激術を実施するための前記所望のサイトの完全なカバレージを達成するよう構成されたオフセットパターンに従ってかじ取りされる、請求項５に記載のシステム。
【請求項７】
前記同軸広視野非接触ディジタル光学的視認カメラから投射された前記放射ビーム（５８）の各々は、各波長に対して網膜光線療法又は光刺激術を実施するための前記所望のサイトの同一のカバレージを結果としてもたせかつ複数の放射ビームによる網膜光線療法又は光刺激術を実施するための所望のサイトの同時接触を排除するように前記オフセットパターンに従ってかじ取りされる、請求項６に記載のシステム。
【請求項８】
前記一つ以上の放射ビーム（５８）の各々は、各放射ビームのための別々の光学系を別々に通過する請求項１に記載のシステム。
【請求項９】
各放射ビームを単一の所定のパターンに生成するようにその波長に従って放射ビーム（５８）の各々を光学的に整形するように構成された別々の光学系（４４）を含む請求項８に記載のシステム。
【請求項１０】
前記光学的に整形された放射ビーム（５８）は、単一の所定のパターンを有する複数の波長の単一ビームに組み合わされる、請求項８に記載のシステム。
【請求項１１】
前記同軸広視野非接触ディジタル光学的視認カメラから投射された複数の波長の単一ビームは、前記単一の所定のパターンに対して網膜光線療法又は光刺激術を実施するための前記所望のサイトの完全なカバレージを達成するよう構成されたオフセットパターンに従ってかじ取りされる、請求項１０に記載のシステム。
【請求項１２】
前記放射ビームの一部分を前記網膜の外周部分から遮断するように虹彩アパーチュア上に調整された絞りを含み、前記放射ビームは、網膜光線療法又は光刺激術を実施するための前記所望のサイトの内側中央部分に送られる、請求項１に記載のシステム。
【請求項１３】
網膜光線療法又は光刺激術を実施するための前記所望のサイトの１つ又は２つ以上の選択的格子部分から前記一つ以上の放射ビームを遮断しかつ網膜光線療法又は光刺激術を実施するための前記所望のサイトの遮断されなかった部分のいずれかに前記放射ビームを送るように格子アパーチュア上に構成された液晶ディスプレイアレイ（８６）を含む、請求項１に記載のシステム。
【請求項１４】
ピーク出力の領域を減衰させるか又は網膜光線療法又は光刺激術を実施するための前記所望のサイト上の瘢痕組織の接触を阻止するように選択的に遮断された前記一つ以上の放射ビーム（５８）の一部分を含む、請求項１に記載のシステム。
【請求項１５】
前記一つ以上の放射ビームは、網膜光線療法又は光刺激術を実施するための前記所望のサイト上の疾患マーカに選択的に送られる、請求項１に記載のシステム。
【請求項１６】
前記同軸広視野非接触ディジタル光学的視認システムから投射された放射ビームは、網膜光線療法又は光刺激術を実施するための前記所望のサイトの前記中央の少なくとも一部分に投射される、請求項１に記載のシステム。
【請求項１７】
網膜診断モダリティからの結果画像（result image）に平行に又は該結果画像の上に重ね合わされて表示された網膜光線療法又は光刺激術を実施するための前記所望のサイトの眼底画像を更に備えている、請求項１に記載のシステム。
【請求項１８】
前記放射ビームが前記同軸広視野非接触ディジタル光学的視認カメラから投射される前、投射されている間、又は投射された後に達成された網膜光線療法又は光刺激術を実施するための前記所望のサイトの眼底画像と、接触出力又は接触除外の図表領域を含む、記録されたその接触パラメータと、を更に備えている、請求項１に記載のシステム。
【請求項１９】
前記光学系（４４）は、前記一つ以上の放射ビームから複数個のレーザスポットを生じさせる回折光学系を含む光学レンズ又はマスク（５６）を備え、前記複数のスポットは、前記同軸広視野非接触ディジタル光学的視認カメラから網膜光線療法又は光刺激術を実施するための前記所望のサイトの少なくとも一部分に投射される、請求項１に記載のシステム。
【請求項２０】
網膜光線療法又は光刺激術を実施するシステムであって、
所定の波長、出力及びデューティサイクルの放射ビームを発生するレーザコンソールと、
前記ビームを光学的に整形するように前記放射ビームを透過する光学レンズ又はマスクと、
前記放射ビームを選択的に送るか又は遮断するように同軸広視野非接触ディジタル光学的視認カメラの中に前記放射ビームを方向付けるように構成されたアパーチュアと、を備え、
前記同軸広視野非接触ディジタル光学的視認カメラは、前記アパーチュアの形態に従って網膜光線療法又は光刺激術を実施するための所望のサイトの少なくとも一部分に前記放射ビームを投射する、システム。
【請求項２１】
前記アパーチュアは、虹彩アパーチュアを備え、かつ前記網膜の外周部分から前記放射ビームを遮断し、かつ網膜光線療法又は光刺激術を実施するための前記所望のサイトの内側中央部分に前記放射ビームを送るように前記虹彩アパーチュア上に調整された絞りを含む、請求項２０記載のシステム。
【請求項２２】
前記アパーチュアは、格子アパーチュアを備え、かつ前記放射ビームを前記網膜の１つ又は２つ以上の選択的格子部分から遮断しかつ網膜光線療法又は光刺激術を実施するための前記所望のサイトの遮断されなかった部分のいずれかに前記放射ビームを送るように前記格子アパーチュア上に構成された液晶ディスプレイアレイを含む、請求項２０記載のシステム。
【請求項２３】
前記放射ビームは、ピーク出力の領域を減衰させるか又は網膜光線療法又は光刺激術を実施するための前記所望のサイト上の瘢痕組織の接触を阻止するように選択的に遮断される、請求項２０記載のシステム。
【請求項２４】
前記放射ビームは、網膜光線療法又は光刺激術を実施するための前記所望のサイト上の疾患マーカに選択的に送られる、請求項２０記載のシステム。
【請求項２５】
前記放射ビームは、網膜光線療法又は光刺激術を実施するための前記所望のサイトの中央の少なくとも一部分に投射される、請求項２０に記載のシステム。
【請求項２６】
網膜診断モダリティからの結果画像（result image）に平行に又はその上に重ね合わされて表示された網膜光線療法又は光刺激術を実施するための前記所望のサイトの眼底画像を更に備えている、請求項２０に記載のシステム。
【請求項２７】
前記放射ビームが前記同軸広視野非接触ディジタル光学的視認カメラから投射される前、投射されている間、又は投射された後に達成された網膜光線療法又は光刺激術を実施するための前記所望のサイトの眼底画像と、接触出力又は接触除外の図表領域を含む、記録されたその接触パラメータと、を更に備えている、請求項２０に記載のシステム。
【請求項２８】
前記光学レンズ又はマスクは、前記ビームから複数個のスポットを生じさせる回折光学系を含み、前記複数個のスポットは、前記同軸広視野非接触ディジタル光学的視認カメラから網膜光線療法又は光刺激術を実施するための前記所望のサイトの少なくとも一部分に投射される、請求項２０に記載のシステム。